(57)【要約】【課題】基板から発生する熱を効率よく放熱し、かつ装置本体の小型化をすること。【解決手段】電気基板部を有し、該電気基板部からの画像信号及び制御信号に基づいて画像の形成を行う画像形成装置において、前記電気基板部は、装置本体に電力を供給する電源基板と、前記画像信号及び制御信号に基づいて装置本体の制御を行う記録制御基板と、を有し、前記電源基板は、装置本体の側面の位置で、該側面に沿うように配置し、前記記録制御基板は、前記電源基板よりも装置本体より遠い側で、前記電源基板と沿うように基板を配置し、前記電源基板に対向する装置本体側面には、排熱口を介して装置内の熱が排出される排熱空間を有することを特徴とする。【選択図】　図１
2004117508.tif 000002
【特許請求の範囲】
【請求項１】
電気基板部を有し、該電気基板部からの画像信号及び制御信号に基づいて画像の形成を行う画像形成装置において、
前記電気基板部は、装置本体に電力を供給する電源基板と、前記画像信号及び制御信号に基づいて装置本体の制御を行う記録制御基板と、を有し、
前記電源基板は、装置本体の側面の位置で、該側面に沿うように配置し、
前記記録制御基板は、前記電源基板よりも装置本体より遠い側で、前記電源基板と沿うように基板を配置し、
前記電源基板に対向する装置本体側面には、排熱口を介して装置内の熱が排出される排熱空間を有することを特徴とする画像形成装置。
【請求項２】
電気基板部を有し、該電気基板部からの画像信号及び制御信号に基づいて画像の形成を行う画像形成装置において、
前記電気基板部は、装置本体に電力を供給する電源基板と、回線を介してデータの送受信を行う第１の通信基板及び第２の通信基板と、を有し、
前記電源基板は、装置本体の側面の位置で、該側面に沿うように配置し、
前記第１の通信基板は、装置本体の側面の位置で、その基板面が前記電源基板とほぼ同一面になるように配置し、
前記第２の通信基板は、装置本体の側面の位置に、前記電源基板よりも装置本体より遠い側で、前記第１の通信基板と沿うように基板を縦にして配置し、
前記電源基板の実装部品と、第２の通信基板の実装部品とが略同一面になるように構成することを特徴とする画像形成装置。
【請求項３】
装置外部から送られてくる画像信号及び制御信号をケーブルにより入力する入力部を有し、
前記排熱空間は、前記ケーブルが設置される際にケーブルの空間となることを特徴とする請求項１又は請求項２に記載の画像形成装置。
【請求項４】
前記電気基板部の上方に、装置を操作するための操作部、又は画像読取部を設けることを特徴とする請求項１乃至請求項３のいずれかに記載の画像形成装置。
【発明の詳細な説明】
【０００１】
【発明の属する技術分野】
本発明は、複写機、ファクシミリ装置、ＭＦＰなどの画像読取部と画像記録部を設けた画像形成装置に関する。
【０００２】
【従来の技術】
近年、プリンター単機能の商品は記録材の給送、搬送方向が装置の前後方向のレイアウトが主流である。ＭＦＰにおいても記録材の給送、搬送方向が装置の前後方向のプリンター部の上部に従来の複写機と同様に原稿を平面で走査して読み取るフラットベットスキャナや、ファクシミリ装置のようなシートスキャナもしくはＭＦＰを操作する操作部が設けられている。
【０００３】
【発明が解決しようとする課題】
しかしながら、近年、ＭＦＰは多機能化も進んでおり、読み取り、記録を制御する画像制御基板や、ファクシミリ機能を設けた場合は電話回線を通してファクシミリ通信可能なように制御する通信基板（第１の通信基板と呼ぶ）が設けられ、近年ではさらにもう１回線の電話回線（２回線目と呼ぶ）を増設して、２回線目でもファクシミリ通信可能なようにもうひとつの通信基板（第２の通信基板と呼ぶ）が設けられていたり、プリンター機能を設けた場合にはコンピュータなど外部から直接もしくはネットワークを経由して信号を入力して、入力された信号を記録部に伝えるプリンター基板など装置内に設けられる基板が増加している。一方でこれら電気基板の増設による電源容量アップや、プリンターの高速化に伴って電源の大型化や、発熱量の増大により、電源の放熱対策が必要となっている。
【０００４】
また、上述したプリンターの入力部に入力される信号ケーブルも従来のセントロケーブルに加えて、ＵＳＢケーブルや、ネットワークに接続される場合にはネットワークケーブル等と種類が増加しているために、装置外にはみ出した信号ケーブルのスペースや、使用者が信号ケーブルを挿入する際のスペースが増加していた。
【０００５】
更に、基板の増大による装置サイズの増大が問題となっており、特に、従来例で取り上げた記録材の給送、搬送方向が装置の前後方向のレイアウトのプリンターをベースとした場合は、プリンターの背面に記録材をストレートに排出する機能を有する装置では、プリンターの背面にトレイを兼ねた排出トレイを設けて有していたり、また、ジャム処理のためのカバーを設けているケースが多く、電気基板を装置背面に配置できないため、装置側面に配置するレイアウトがある。
【０００６】
しかし、側面に電気基板を置くとプリンターの幅に加えて電気基板部の幅で装置幅が決まるが、前述のごとく電気基板が増えた場合は装置幅の増大につながり、設置スペースが増大するといった課題があった。また、装置のレイアウト上、電気基板部の上部に操作部や読取部を設けた場合には上述のごとく電気基板から発熱する熱が上方に放熱しにくくなるため、電気基板部の上方の全面に操作部や、読取部を設けるのは難しく、装置レイアウト上の制約となっていた。
【０００７】
そこで本発明の目的は、基板から発生する熱を効率よく放熱し、かつ装置本体の小型化をすることである。
【０００８】
【課題を解決するための手段】
上記目的を達成するための、本発明の代表的な構成は、電気基板部を有し、該電気基板部からの画像信号及び制御信号に基づいて画像の形成を行う画像形成装置において、前記電気基板部は、装置本体に電力を供給する電源基板と、前記画像信号及び制御信号に基づいて装置本体の制御を行う記録制御基板と、を有し、前記電源基板は、装置本体の側面の位置で、該側面に沿うように配置し、前記記録制御基板は、前記電源基板よりも装置本体より遠い側で、前記電源基板と沿うように基板を配置し、前記電源基板に対向する装置本体側面には、排熱口を介して装置内の熱が排出される排熱空間を有することを特徴とする。
【０００９】
【発明の実施の形態】
まず、図１乃至図４を用いて、本発明に従って構成した画像形成装置の説明を行う。画像形成装置としては、ファクシミリ機能、プリンター機能、ブック、シート原稿を読取り複写を行う複写機能を合わせ持った多機能複合機（以下、ＭＦＰと呼ぶ）を取り上げる。図１はＭＦＰを右斜め前から見た斜視図であり、図２はＭＦＰを右側からみた装置断面図であり、図３はＭＦＰを図２に示すＩ面で装置上方から見た断面図であり、図４はＭＦＰを図２に示すＪ面で装置背面から見た断面図である。
【００１０】
（全体概略説明）
図１乃至図４を参照してＭＦＰ全体の概略を説明する。図１乃至図４において、１００は装置本体でありＡ方向が装置手前方向である。１０３は原稿Ｓを一枚ずつ分離しつつ搬送を行うシート画像読取部であり、原稿載置トレイ１０３ａの上に載置された原稿Ｓを矢印Ｆ方向に搬送することで、読取部１０３ｃに搬送させながら原稿を読み取る。１０３ｂは読み取った後に排出された原稿を積載する原稿排出トレイである。１０４はレーザービームプリンターからなる記録装置部である。
【００１１】
１１２はカセット給送部であり、記録材Ｐが収納されている。１１２ａはカセット給送部から記録材Ｐを一枚分離して画像形成部１１１に搬送する給送ローラである。１１３はマルチ給送部であり、給送ローラ及び分離片とで構成されるマルチ給送分離部１１３ａでマルチ給送トレイ１１３ｂ上に積載された記録材Ｐを一枚分離して画像形成部１１１に搬送する。
【００１２】
１１０はレーザースキャナ、１１１は画像形成部であり、１１１ａはトナーカートリッジであり、トナーカートリッジ１１１ａの内部には感光体ドラム１１１ｃ、帯電部１１１ｅ、現像部１１１ｄ、クリーニング部１１１ｆ及びトナーが一体の容器に収納されている。１１１ｂは転写ローラである。ここで感光体ドラム１１１ｃと転写ローラ１１１ｂとの間で記録材を搬送しつつ、トナーを記録材上に転写する。１１４は画像形成部１１１で記録材上に転写したトナーを加熱し定着させる定着部である。１１５は記録材Ｐを画像面を下にして排出するフェイスダウン排出部（ＦＤ排出部と呼ぶ）である。１１６は記録後、排出された記録材Ｐを画像面を下にして積載するフェイスダウン排出トレイ（ＦＤ排出トレイ）である。以上の構成により、記録装置部１０４は記録材Ｐを装置の前後方向（Ｅ方向）に搬送させることで、記録材Ｐの給送、画像形成、排出を行う構成である。
【００１３】
１０５は表示部・入力キー等により構成される操作部であり、装置前面に設けられ使用者が装置前面から操作可能に構成され良好な操作性を実現している。１２０は本発明の特徴となる電気基板が設けられて電装部であり、１２０ａは電源ユニット、１２０ｂはシート画像読取部の制御や、プリンター部に記録画像信号を転送する制御を行う画像制御及び第１の電話回線を通してファクシミリ通信等のデータの送受信を行う通信基板（第１の通信基板と呼ぶ）をもっている。１２０ｄは第２の電話回線を通してファクシミリ通信等のデータの送受信を行う通信基板（第２の通信基板と呼ぶ）である。１２０ｃはプリンター機能を拡張する記録制御基板（プリンタボードと呼ぶ）から構成されている。図１に示すように、電装部の幅方向の位置は記録装置部１０４の側面でかつ操作部１０５の下に配置されている。　次に各部の詳細及び動作について説明する。
【００１４】
（画像読取部）
画像読取部１０３での読取時の原稿の搬送方向を図２の矢印Ｆに示し動作の説明を行う。まず、シート画像読取部１０３はまず原稿載置トレイ１０３ａの上に載置された原稿Ｓを一枚ずつ分離して、シート読取部１０３ｃに送り込む。ここで１０３ｄは密着型イメージセンサである。分離された原稿は図示せぬ搬送ローラによって、原稿を搬送させつつ、密着型イメージセンサ１０３ｄにより原稿面の読み取りを行う。その後、読み取られた原稿は、更に搬送されて、原稿排出トレイ１０３ｂ上に排出され、積載される。
【００１５】
（記録装置部）
次に記録装置部について詳細な構成及び動作について説明する。記録材Ｐの搬送方向を図２の矢印Ｇに示す。記録装置部１０４は装置下部に配置されている。ここで、記録材の給送口としてまず、カセット給送部１１２が、記録装置部１０４の底部に配設されている。給送カセット１１２ｂに積載された記録材Ｐは、給送ローラ１１２ａによって１枚ずつ分離、搬送され図示せぬ搬送ローラにより更に搬送され、画像形成部１１１に送り込まれる。ここで、給送カセット１１２ｂは装置手前方向（Ａ方向）に引き出すことで装置手前で記録材のセットやジャム処理が行うことができる。
【００１６】
また、１１３はマルチ給送部であり、装置前面に配置されている。マルチ給送トレイ１１３ｂ上に積載された記録材Ｐは、マルチ給送分離部１１３ａにより分離、搬送され画像形成部１１１に送り込まれる。
【００１７】
ここで、マルチ給送分離部１１３ａは分離ローラ１１３ａ１及び分離片１１３ａ２で構成されている。分離ローラ１１３ａ１は外周がゴムで構成されたローラで、分離片１１３ａ２はゴム片を表面に設けた板状の部材である。分離ローラ１１３ａ１に分離片１１３ａ２が付勢されている。分離ローラ１１３ａ１は図示せぬ駆動手段と連結している。
【００１８】
マルチ給送トレイ１１３ｂへの記録材のセットは装置手前方向から行うことが可能に構成されている。マルチ給送トレイ１１３ｂにセットされた記録材は、分離ローラ１１３ａ１が回転すると、分離ローラ１１３ａ１と分離片１１３ａ２との間で一枚ずつ分離、搬送される。
【００１９】
カセット給送部１１２またはマルチ給送部１１３から画像形成部１１１に送り込まれた記録材Ｐは、転写ローラ１１１ｂと感光体ドラム１１１ｃとの間に搬送される。記録装置本体１０４は、記録制御基板から出力される画像信号に基づいてレーザースキャナ１１０から画像光を射出し、この画像光を画像形成部１１１の感光体ドラム１１１ｃに照射して、感光体ドラム１１１ｃ表面に静電潜像を形成し、この静電潜像を現像部１１１ｄによってトナー像に変換し、カセット給送部１１２から画像形成部１１１に給送された記録材Ｐにトナー像を転写する。
【００２０】
感光体ドラム１１１ｃは帯電手段と現像手段とクリーニング手段と共にトナーカートリッジ１１１ａ内に一体に組込まれていて、記録装置本体１０４に対して着脱自在に構成されている。ここで、画像形成部１１１の前部、マルチ給送トレイ１１３ｂの奥には使用者が開閉可能なカバー（以下、カートリッジカバーと呼ぶ）１１８が設けられ、トナーカートリッジ１１１ａを交換する際や画像形成部１１１で記録材のジャムが発生した場合は、装置前面からカートリッジカバー１１８を開くことで２点鎖線のごとく装置の前後方向にトナーカートリッジ１１１ａの着脱が可能となっている。
【００２１】
画像形成部１１１の感光体ドラム１１１ｃ下部には転写ローラ１１１ｂが配置され、また感光体ドラム１１１ｃよりも下流側の搬送経路に熱定着器１１４が配置されている。記録材Ｐは転写ローラ１１１ｂで感光体ドラム１１１ｃ表面に形成されたトナー像を転写された後、記録材搬送部に沿って搬送され、定着器１１４でトナー像が定着される。定着後の記録材Ｐは更に搬送され、ＦＤ排出部１１５により装置外に排出され、ＦＤ排出トレイ１１６に積載される。積載位置は記録材の装置前端が使用者が装置前面から取り出し可能な位置である。尚、１１１ｇは画像形成部を駆動するモータ及びギヤ列で構成された記録駆動部であり、画像形成部１１１の側面に沿って構成されている。
【００２２】
（操作部）
図５は操作部１０５の構成を説明する図である。図中２００は、装置の状態や操作の状況を文字や記号などで表示する表示パネルであり、図１及び図５における矢印Ａに示す装置の正面側に対して、操作部１０５の奥行き方向中央よりやや奥側に配置している。２０１は第１キー群であるテンキーで、送信先のファクシミリ番号の入力や、後述するワンタッチキー２０２への送信先ファクシミリ番号等の登録等に使用される。２０２は第２キー群であるワンタッチキーであり、あらかじめファクシミリ番号を登録しておきワンタッチで送信先を指定する他に、各種登録や設定の際の操作にも用いられる。２０３は第３キー群であるカーソルキーで、表示パネル２００上に表示されたメニューのスクロールやカーソル位置の移動を行うために用いられる。
【００２３】
第１キー群（テンキー）２０１および第２キー群（ワンタッチキー）２０２は、表示パネル２００に対して装置正面側すなわち操作者に近い側に配置されている。一方第３キー群（カーソルキー）２０３は表示パネル２００の側方位置に配置されている。これらのキー群を用いた登録や設定の操作は、表示パネル２００上の表示を見ながら第１キー群２０１、第２キー群２０２、第３キー群２０３によって文字の入力操作やメニューの選択操作を行う。
【００２４】
図中２０４は第４キー群であるプリンターファンクションキーであり、本実施例の複合機能の一つであるプリンター機能の各種操作を行う際に用いる。第４キー群２０４は表示パネル２００に対して装置奥側かつ横方向にずれた位置に配置されている。第４キー群２０４を用いたプリンター機能の操作は、表示パネル２００上の表示を見ながら第４キー群２０４によってメニューの選択操作を行う。図中２０５は第５キー群であるモードキーであり、装置のモード等を切り換える際に用いる。２０６は、モードキー２０５の押下のたびに点灯あるいは消灯して、現在の設定状態を表示する表示ランプ群である。第５キー群２０５および表示ランプ群２０６は、表示パネル２００に対して装置奥側すなわち操作者から遠い側に配置されている。
【００２５】
本実施例における操作部１０５は上記のように構成しており、表示パネル２００上のメッセージを見ながら操作することが必要な第１キー群２０１および第２キー群２０２は、表示パネル２００に対して装置正面側すなわち操作者に近い側に配置しているため、上記キー群の操作の際に操作者の手指が表示パネル２００をさえぎることはなく、表示パネル２００を見ながらの良好な操作性が実現される。また、表示パネル２００上のメッセージを見ながら操作することが必要な第３キー群２０３は表示パネル２００に対して横方向にずれた位置に配置しているため、第３キー群２０３の操作の際に操作者の手指が表示パネル２００をさえぎることはなく、表示パネル２００を見ながらの良好な操作性が実現される。
【００２６】
一方、表示パネル２００上のメッセージを見ながら操作することが必要な第４キー群２０４は、表示パネル２００に対して装置奥側すなわち操作者から遠い側に配置しているが、表示パネル２００に対して横方向にずれた位置に配置しているため、上記第４キー群２０４の操作の際に操作者の手指が表示パネル２００をさえぎることはなく、表示パネル２００を見ながらの良好な操作性が実現される。
【００２７】
また、第５キー群２０５は表示パネル２００に対して装置奥側すなわち操作者から遠い側に配置しているが、第５キー群２０５の操作に応じて各種モードの切り換え状態を表示する表示ランプ群２０６を設けたため、表示パネル２００上のメッセージを見ながら操作する必要がなく、第５キー群２０５の操作の際に操作者の手指が表示パネル２００をさえぎっても、操作性が阻害されることはない。さらには、第４キー群２０４および第５キー群２０５を表示パネル２００に対して装置奥側すなわち操作者から遠い側に配置することによって相対的に表示パネル２００を装置正面側すなわち操作者に近い側に配置可能となり、表示パネル２００の視認性が向上して操作性がより向上する。
【００２８】
（本発明の特徴の説明）
（電気基板のレイアウト）
次に本発明の特徴となる電装部における電気基板のレイアウトについて説明する。電装部１２０には後述する電気基板が設けられ、その回りを板金を箱状に構成したシールドボックス１２０ｈで囲むことで電気基板から放射されたノイズの低減及び基板のアースの強化を行っている。
【００２９】
１００ａは装置本体の外装カバーであり、装置の外周を覆っている。ただし、ロの字形状の空間Ｃ部において、外装カバー１００ａの一部には切り欠き部があり、シールドボックス１２０ｈの一部が露出している。このシールドボックス１２０ｈの一部には後述する電源ユニットの対向部に、電源の放熱のための排熱口（以下ルーバと呼ぶ）１３０が設けられている。
【００３０】
図１又は図４に示すように、１２０ａは電源ユニットであり、装置の右奥側に基板を縦にして配置されている。１２０ｃはプリンタボードで右側面の電源よりさらに右側面で、かつプリンタボード１２０ｃの背面の位置は、電源ユニット１２０ａの背面より、装置手前の近い位置にずれて設けられ、基板を縦にして配置されている。ここで、プリンタボード１２０ｃの背面側には外部インターフェース用のコネクタ１２０ｃ１（本発明ではセントロコネクタと呼ぶ）及びコネクタ１２０ｃ２（本発明ではＵＳＢコネクタと呼ぶ）及びコネクタ１２０ｃ３（本発明ではネットワークコネクタと呼ぶ）が設けられ、使用する場合には外部機器と接続するためのケーブルがそれぞれセントロケーブル１２１、ＵＳＢケーブル１２２、ネットワークケーブル１２３が接続される。これによって、セントロケーブル１２１のコネクタ部１２１ｃ１及びＵＳＢケーブル１２２のコネクタ部１２２ｃ１及びネットワークケーブル１２３のコネクタ部１２３ｃ１は空間Ｃの中にほぼ収まる構成となっている。
【００３１】
また、１２０ｂは画像処理・第１の通信を行う基板（第１の通信基板と呼ぶ）であり、ファクシミリの通信関係の制御を行っている。ここで装置手前付近には第１の電話回線と接続するためのモジュラーコネクタ１２０ｂ１が装置外に露出している。使用する場合には第１の電話回線と接続するためのモジュラーケーブルが接続される。
【００３２】
第１のモジュラーコネクタ１２０ｂ１は第１のネットワーク・コントロール・ユニット（以下第１のＮＣＵと呼ぶ）を介して、第１の通信基板１２０ｂと接続されている。一方、１２０ｄはファクシミリ制御を行う第２の通信基板であり、装置の手前付近には第２の電話回線と接続するためのモジュラーコネクタ１２０ｄ１が装置外に露出している。使用する場合には第２の電話回線と接続するためのモジュラーケーブルが接続される。
【００３３】
第２のモジュラーコネクタは１２０ｃ１の第２のネットワーク・コントロール・ユニット（以下第２のＮＣＵと呼ぶ）を介して、第２の通信基板と接続されている。
【００３４】
電源ユニット１２０ａの対向部の一部のシールドボックス１２０ｈにはルーバ１３０が設けられている。ここで、プリンタボード１２０ｃの背面部はルーバ１３０を覆い隠していないため、電源ユニット１２０ａからの熱はルーバ１３０を介して装置外に放出することが可能となっている。すなわち、電気基板部の上部に操作部などが配置されている場合は、電源ユニットの熱を装置上方に排熱することができないが、本実施例のように横に排熱することで、上部に操作部などを配置可能になる。
【００３５】
また、空間Ｃはプリンタボード１２０ｃに接続するセントロケーブル１２１、ＵＳＢケーブル１２２、ネットワークケーブル１２３などのケーブル類のコネクタの設置スペースを兼ねており、装置の大型化もない。また、空間Ｃは、設置のための作業スペースを兼ねているため、装置の背面を壁に密着させた状態でもケーブルの配線スペースがあるため、ケーブルの着脱のための装置を移動したり、装置の背面に余分なスペースを確保する必要もなく、良好な設置作業性と、省スペース化を実現している。また、その状態でもルーバ１３０が塞がれることもなく排熱を良好に行うことができる。
【００３６】
一方、図３に示すように、電源ユニット１２０ａの実装されている部品の実装高さをＨ１、第１の通信基板１２０ｂの部品の実装高さをＨ２、第２の通信基板１２０ｄの部品の実装高さをＨ３とした場合、電源ユニット１２０ａは１００Ｖや２３０Ｖなどの１次回路を含む電流容量の大きな回路が設けられており、大型のトランスやコンデンサなど部品高さが高い部品が実装されている。これに対して、第１の通信基板１２０ｂ及び第２の通信基板１２０ｄは２次側の電流容量の比較的小さい回路が設けられている。このため、部品高さが低い部品が実装されており、特に、本実施例では第１の通信基板１２０ｂと第２の通信基板１２０ｂは類似した部品が実装されているため、実装高さＨ２と実装高さＨ３はほぼ近似した高さとなっている。
【００３７】
また、本実施例では電源ユニット１２０ａの実装高さＨ１は、Ｈ２とＨ３を加えた高さにほぼ等しいように実装部品が選定されており、図に示すように、電源ユニット１２０ａの横に、第１の通信基板と第２の通信基板を重ねて配置することで、電源ユニット１２０ａの外面と第２の通信基板１２０ｄの外面とがほぼ同一面となり、フラットな形状となり、その側面にプリンタボード１２０ｃを配置しても、プリンタボード１２０ｃとの間にデッドスペースが少なくなり、スペース効率が良い。また、プリンタボード１２０ｃの外面に面するシールドケース１２０ｈ及び外装カバー１００ａをフラットな面にできることで、装置の右側面部の空間に余分なデッドスペースがなくスペース効率が良い。
【００３８】
以上の構成によって、シールドケース１２０ｈのスペースを装置上方から見たときにほぼ四角の形状にすることが可能となる。よって、本実施例のように、記録装置部１０４の側面には操作部１０５を設ける場合が多いが、電気基板部の上方を操作部１０５として使用する場合に本実施例のように、ほぼ四角のスペースの場合にはその上に四角の操作部をのせても、その下の空間にデッドスペースができることもなくスペース効率が良い。
【００３９】
（他の実施形態）
前述した実施形態においては、電装部の上に操作部を配置したが、これに限るものではなく、装置のレイアウトによっては画像読取部を設けた場合においても、記録材搬送部も通常、ほぼ四角の形状をしているため、記録材搬送部の下に電装部の四角のスペースを設けることでデッドスペースができることもなくスペース効率が良い。また、電装部の上部に画像読取部などが配置されている場合は、電源ユニットの熱を装置上方に排熱することができないが、本実施例のように横に排熱することで、上部に画像読取部操作部などを配置可能になる。
【００４０】
また、前述した実施形態においては、電気基板部の基板の種類として電源ユニット、第１の通信基板、第２の通信基板、プリンタボードを設けたが、電源ユニットとプリンタボードの組み合わせ、もしくは電源ユニット、第１の通信基板、第２の通信基板のみの装置の場合においてはそれぞれ構成することで省スペース化と効率的な排熱を行う効果が得られる。
【００４１】
【発明の効果】
以上のように、本発明においては、電気基板部は、装置本体に電力を供給する電源基板と、前記画像信号及び制御信号に基づいて装置本体の制御を行う記録制御基板と、を有し、前記電源基板は、装置本体の側面の位置で、該側面に沿うように配置し、前記記録制御基板は、前記電源基板よりも装置本体より遠い側で、前記電源基板と沿うように基板を配置し、前記電源基板に対向する装置本体側面には、排熱口を介して装置内の熱が排出される排熱空間を有することを特徴とするため、基板から発生する熱を効率よく放熱し、かつ装置本体の小型化をすることができる。
【図面の簡単な説明】
【図１】ＭＦＰを右斜め前から見た斜視図である。
【図２】ＭＦＰを右側からみた装置断面図である。
【図３】ＭＦＰを図２に示すＩ面で装置上方から見た断面図である。
【図４】ＭＦＰを図２に示すＪ面で装置背面から見た断面図である。
【図５】操作部の構成を説明する図である。
【符号の説明】
Ｐ　…記録材、Ｓ　…原稿、
１００　…装置本体、１００ａ　…外装カバー、１０３　…画像読取部、
１０３ａ　…原稿載置トレイ、１０３ｂ　…原稿排出トレイ、１０３ｃ　…シート読取部、
１０３ｄ　…密着型イメージセンサ、１０４　…記録装置部、
１０５　…操作部、１１０　…レーザースキャナ、１１１　…画像形成部、
１１１ａ　…トナーカートリッジ、１１１ｂ　…転写ローラ、１１１ｃ　…感光体ドラム、
１１１ｄ　…現像部、１１１ｅ　…帯電部、１１１ｆ　…クリーニング部、
１１１ｇ　…記録駆動部、１１２　…カセット給送部、１１２ａ　…給送ローラ、
１１２ｂ　…給送カセット、１１３　…マルチ給送部、１１３ａ　…マルチ給送分離部、
１１３ａ１　…分離ローラ、１１３ａ２　…分離片、１１３ｂ　…マルチ給送トレイ、
１１４　…定着部、１１５　…ＦＤ排出部、１１６　…ＦＤ排出トレイ、
１１８　…カートリッジカバー、１２０ａ　…電源ユニット、１２０ｂ　…第１の通信基板、
１２０ｂ１　…モジュラーコネクタ、１２０ｃ　…プリンタボード、
１２０ｃ１　…セントロコネクタ、１２０ｃ２　…ＵＳＢコネクタ、
１２０ｃ３　…ネットワークコネクタ、１２０ｄ　…第２の通信基板、
１２０ｄ１　…モジュラーコネクタ、１２０ｈ　…シールドボックス、
１２１　…セントロケーブル、１２１ｃ１　…コネクタ部、１２２　…ＵＳＢケーブル、
１２２ｃ１　…コネクタ部、１２３　…ネットワークケーブル、１２３ｃ１　…コネクタ部、
１３０　…ルーバ、２００　…表示パネル、
２０１　…第１キー群（テンキー）、２０２　…第２キー群（ワンタッチキー）、
２０３　…第３キー群（カーソルキー）、
２０４　…第４キー群（プリンターファンクションキー）、
２０５　…第５キー群（モードキー）、２０６　…表示ランプ群
【図１】
2004117508.tif 000003
【図２】
2004117508.tif 000004
【図３】
2004117508.tif 000005
【図４】
2004117508.tif 000006
【図５】
2004117508.tif 000007